(57)【要約】【課題】急ブレーキをかけるときアクセルペダルをブレーキペダルと踏み違えて強く踏んだときにはアクセルペダルでもブレーキがかかるようにしたオートマチック車の急発進防止装置を提供する。【解決手段】アクセルペダルの踏力を２段階に設定し、１段目の踏力によりエンジンの回転数を上げ、２段目の踏み込みによりエンジンの回転数を最小にするか停止させることによりオートマチック車の急発進を防止する。【選択図】　　　　図２
2004084624.tif 000002
【特許請求の範囲】
【請求項１】
アクセルペダルの踏力を２段階に設定し、１段目の踏力によりエンジンの回転数を上げ、２段目の踏み込みによりエンジンの回転数を最小にするか停止させることを特徴とするオートマチック車の急発進防止装置。
【請求項２】
踏力の設定を２つのスプリングで行うことを特徴とする請求項１記載のオートマチック車の急発進防止装置。
【請求項３】
エンジンの回転数の調節をスロットバルブの開度の調整によって行うことを特徴とする請求項１または２のいずれかに記載のオートマチック車の急発進防止装置。
【請求項４】
２段目の踏み込みにより、エンジンの回転数の調節を点火系統への電力供給の断続によって行うことを特徴とする請求項１または２のいずれかに記載のオートマチック車の急発進防止装置。
【請求項５】
アクセルペダルの２段目の踏み込みに連動してブレーキを作動させるようにしたことを特徴とする請求項１〜４のいずれかに記載のオートマチック車の急発進防止装置。
【請求項６】
一定速度以上での走行時には２段目の踏み込みを阻止するようにしたことを特徴とする請求項１〜５のいずれかに記載のオートマチック車の急発進防止装置。
【請求項７】
スロットバルブが、アクセルペダルの１段目の踏み込みでモータを正転させ２段目の踏み込みでモータを逆転させる電動式スロットバルブであることを特徴とする請求項１または２のいずれかに記載のオートマチック車の急発進防止装置。
【請求項８】
ブレーキペダルにより作動するブレーキ回路と、アクセルペダルにより作動するブレーキ回路とを併設し、アクセルペダルの２段目の踏み込みに連動する電磁バルブによって、上記ブレーキ回路を切り替えることを特徴とする請求項１または２のいずれかに記載のオートマチック車の急発進防止装置。
【発明の詳細な説明】
【０００１】
【産業上の利用分野】
この発明はオートマチック車のブレーキペダルとアクセルペダルの踏違えによる急発進事故を防止するオートマチック車の急発進防止装置に関する。
【０００２】
【従来の技術】
一般に自動車のアクセルペダルはブレーキペダルと隣り合って設けられているため、初心者のように運転未熟者はブレーキペダルとアクセルペダルとを誤って操作し易く、制動すべきところを逆に加速して事故を引き起こすことがある。また、運転熟練者であっても急制動時には気が動転してアクセルペダルとブレーキペダルとを間違えることがあり、アクセルペダルを急激に踏み込んで急加速状態になり、大事故を引き起こすことになる。
【０００３】
そこで、従来のオートマチック車には誤操作による急発進で生ずる事故を防止するため、シフトロック機構、キー・インタロック機構、Ｒ（リバース）位置警報装置が設置されているが、運転者が駐車場、車庫等においてセレクトレバーをＰ位置よりＲレンジ、Ｄレンジを間違えてシフトし車の前進と後進が逆になったり、或いは横断歩道の直前でＤレンジに入れて停車中に人が飛び出したりした場合にあわててアクセルペダルをブレーキペダルと踏み違え、急発進して暴走し壁面に激突したり、高層の駐車場の壁面やガードレールを突き破って落下する事故や横断歩道で人身事故を起こすことなどが大きな問題となっている。
【０００４】
【発明が解決しようとする課題】
この発明は、前記の問題点を解決するもので、オートマチック車が駐車場、車庫等でセレクトレバーをＲレンジ、Ｄレンジ等に入れた状態で生じるクリープ現象（車がじわじわと前進する現象）、或いはアクセルに足を軽くのせ緩速、微速で動き始め、進向方向が逆であるのに気づいたり、横断歩道直前で止まって発進しかけたとき人が飛び出す等であわてて急ブレーキをかけるときにアクセルペダルをブレーキペダルと踏み違えて強く踏んだときにはアクセルペダルでもブレーキがかかるようにした急発進防止装置を提供することを目的とする。
【０００５】
【課題を解決するための手段】
上記課題を解決するため、本発明のオートマチック車の急発進防止装置は、請求項１の発明は、アクセルペダルの踏力を２段階に設定し、１段目の踏力によりエンジンの回転数を上げ、２段目の踏み込みによりエンジンの回転数を最小にするか停止させることを特徴とし、請求項２の発明は、請求項１記載の発明において、踏力の設定を２つのスプリングで行うことを特徴とする。
【０００６】
請求項３の発明は、請求項１又は２記載の発明において、エンジンの回転数の調節を、スロットバルブの開度の調整によって行うことを、請求項４の発明は、アクセルペダルの２段目の踏み込みにより、エンジンの回転数の調節を点火系統への電力供給の断続によって行うことを特徴とする。
【０００７】
請求項５の発明は、請求項１〜４のいずれかの発明において、アクセルペダルの２段目の踏み込みに連動してブレーキを作動させるようにしたことを特徴とし、請求項６の発明は、請求項１〜５のいずれかに記載の発明において、一定速度以上での走行時には２段目の踏み込みを阻止するようにしたことを特徴とする。
【０００８】
請求項７の発明は、請求項１または２のいずれかに記載の発明において、スロットバルブが、アクセルペダルの１段目の踏み込みでモータを正転させ２段目の踏み込みでモータを逆転させる電動式スロットバルブであることを特徴とする。
【０００９】
請求項８の発明は、請求項１または２のいずれかに記載の発明において、ブレーキペダルにより作動するブレーキ回路と、アクセルペダルにより作動するブレーキ回路とを併設し、アクセルペダルの２段目の踏み込みに連動する電磁バルブによって、上記ブレーキ回路を切り替えることを特徴とする。
【００１０】
【作用】
アクセルペダルの１段目の踏み込みを行うと、踏み込み量に応じてスロットバルブの開度は大きくなり車は発進するが、緊急事態に直面して気が動転してさらにアクセルペダルを踏み込んで２段目の踏み込みを行うと、エンジンへの混合気の供給を減少させるか点火系統への電力の供給を絶って、エンジンの出力は急激に低下または停止するので車は急停車し、危険を回避する。
【００１１】
また、請求項８の発明では、アクセルペダルの１段目の踏み込みを行うと、踏み込み量に応じてスロットバルブの開度は大きくなり車は発進するが、緊急事態に直面して気が動転してさらにアクセルペダルを踏み込んで２段目の踏み込みを行うと、アクセルペダルにより作動するブレーキ回路が作動し、車は急停車し、危険を回避する。
【００１２】
【発明の実施の形態】
急ブレーキを踏む時のように、一定以上の踏力で、強くアクセルペダルを踏みつけた場合に、ペダルを元に戻そうとするバネの反発力を２段階にすることにより、アクセルペダルの可動範囲を２段階にする。
【００１３】
車を運転している時の、アクセルペダルに対する必要な足の踏力はわずかなもの（２〜３Ｋｇ程度）であり、ストッパーに当たるまでの可動範囲の全てが一定であり、思い切り強く踏み込んでもストッパーに当たって、それ以上の踏力は５〜６Ｋｇ程度であるので、１０Ｋｇ程度以上の踏力で押されると、もう１段動くようにアクセルペダルの動きを２段にして、２段階目の可動域を利用することにより、スロットの動きを、最初の閉の状態から開に動かす一般的なものから、さらに開の状態から再び閉にすることができる。
【００１４】
また、上記構成だけでは、一般道を走行中、前方車を追い越そうとしている時に、予期していない対向車があって、アクセルペダルを強く踏み込んだ時、エンジンのパワーダウンやブレーキの作動が起こり、危険な状況に陥ることがあるので、一定のスピード以上になるとこの機構が働かなくなるようにする。《速度感応式ストッピング》
【００１５】
さらに、アクセルペダルの２段階目の可動とブレーキペダルを連結すれば、ブレーキを作動させることも可能である。《ブレーキペダル連動》
【００１６】
【実施例】
以下、図面にもとづいて本発明の実施例を説明するが、本発明は、実施例によって限定されるものではない。なお図中白抜き矢印１はアクセルペダルの１段踏み込み時の関連部材の動きを、同矢印２はアクセルペダルの２段目の踏み込み時の関連部材の動きを示す。
【００１７】
【実施例１】
図１、２は本発明の１実施例であり、この実施例はアクセルペダルの２段目の踏み込みによって、エンジンへの混合気の供給を減少させることにより、エンジンの出力を減少させてオートマチック車の急発進を防止するものである。
【００１８】《構造》
図１は、本発明で採用したアクセルペダル部の概略図を表すものであり、アクセルペダル１は操作杆２を直角に折曲した支持部３を、取付板５に設けた軸支部６、６に回動自在に支持されており、支持部３に平行に作動部４が設けられている。また、軸支部６、６には作動部材７が、作動部４に重なった状態で回動自在に支持されており、水平部８にはスロットバルブ操作用ボーデンワイヤー９のインナーワイヤ１０が固定されている。なお、ボーデンワイヤー９のアウターワイヤー１１は取付板５に固定されている。
【００１９】
上記構成であるので、アクセルペダル１を踏み込むと支持部３を回動軸として作動部４が上方へ回動し、この回動に連動して作動部材７も上方に回動し、水平部８に固定されているインナーワイヤー１０を引き寄せ、インナーワイヤー１０の他端に連結されたスロットバルブを操作することができる。
【００２０】
また、ブレーキペダル１２の作動杆１３に一体の連結杆１４を設け、アクセルペダル１の１段目の踏み込み時には干渉することなく、２段目の踏み込み時には連動して、ブレーキを作動させるようにする。この場合、ブレーキの反力が底打ちを与えるように構成する。
【００２１】
なお、図１中１５は、速度感応式ストッピング装置であり、車速に応動して停止杆１６を作動部７の上方に突出して作動部７の回動を阻止し、定常走行時の２段目の踏み込みを阻止して不慮の急停止を防止するものである。
【００２２】
図２は、本発明のスロットバルブの概略図であり、インテークマニホールドに接続するスロットバルブケーシング２０内に収納されたバタフライバルブよりなるスロットバルブ（図示せず）のスロットバルブ軸２１には、カム２２が固定されている。また、カム２２の周面にはインナーワイヤーを案内する溝２３が形成されており、その溝２３の終端部にはインナーワイヤー取付ピン３３が、スロットバルブケーシング２０にはアウターワイヤー支持金具３０が設けられており、インナーワイヤー１０およびアウターワイヤー１１が固定されている。
【００２３】
前記カム２２には、アクセルペダル１の２段階目の操作時に、第２のスプリング２８を押圧する第１の突片２４と、速度感応式ストッピング１５の停止杆１６を押圧する第２の突片２５が設けられており、
【００２４】
スロットバルブケーシング２０とカム２２との間には、１端をスロットバルブケーシング２０に固定し、他端をカム２２に固定した第１のスプリング２７が、アウターワイヤー取付金具２９とカム２２の突片２４との間のインナーケーブル１０には第２のスプリング２８が遊嵌されており、スロットバルブの開度が最大になった時、突片２４は第２のスプリング２８に当接するように設定されている。
【００２５】
第１のスプリング２７の弾力は、通常の踏み込み力でアクセルペダル１を作動できる程度にし、第２のスプリング２８の弾力は第１のスプリング２７の弾力と同程度に設定するが、底打ち感が得られれば第２のスプリング２８の弾力は、第１のスプリング２７の弾力と同程度に設定する必要はない。
【００２６】
なお、上記例では、第２のスプリングをアウターワイヤー取付金具２９とカム２２の突片２４との間のインナーケーブル１０に遊嵌したが、アクセルペダル１の２段目の踏み込み時に底打ち感を与えることができれば、アクセル操作系の適宜箇所に設けることが可能である。
【００２７】
また、図２中３１は、速度感応式ストッピング装置であり、車速に応動して停止杆３２をカム２２の突片２５の作動域内に突出してカム２２の回動を規制し、定常走行時の２段目の踏み込みを阻止して不慮の急停止を防止するものであり、上記速度感応式ストッピング１５と同様の機能を奏するものであるので、発明の実施に当たっては速度感応ストッピング１５および３１のいずれか一方を採用すれば、その目的を達成できるものである。
【００２８】《作動》
第１のスプリングの弾性に抗してアクセルペダルを踏み込むと、踏み込み量に応じてスロットバルブの開度は大きくなり、車速は加速され、スロットバルブの開度が最大になった時、突片は第２のスプリングに当接する。この時第２のスプリングの弾力が第１のスプリングの弾力にプラスされて大きくなるので、正常な運転時には、底打ち感を感じる。さらにアクセルペダルを踏み込むと、スロットバルブは最大開度位置を越えて、閉位置方向に回動し、アイドリング用通路を残した状態まで回動し、エンジンの出力は急激に減少するので車は急停車する。
【００２９】《電動式スロットバルブ》
、モータによりスロットバルブの開度の調整を行う場合には、アクセルペダルの下方に、スロットバルブを最大開度まで回動を許容するだけアクセルペダルを移動させる（１段目の踏み込み）だけの間隙を設けて、電磁スイッチを配置し、アクセルペダルの第１作動範囲では、踏み込み量に応じてスロットバルブの開度を大きくし、第２作動範囲では、スイッチが切れて、モータへの電力供給が絶たれ、モータは反転することによりスロットバルブは、アイドリング位置に戻り、急発進を阻止することもできる。
【００３０】
【実施例２】
図３は本発明の他の実施例であり、この実施例はアクセルペダルの２段目の踏み込みによって、点火系統への電力供給を絶つことにより、エンジンを停止させてオートマチック車の急発進を防止するものである。
【００３１】《構造》
自動車エンジンの点火系統５３にバッテリ５０の電源がヒューズ５１とイグニションスイッチ５２を通じて供給する電源供給系統において、前記イグニションスイッチ５２と点火系統５３を連結する電気回路上に電磁スイッチ５４を配置するものであり、バッテリ５０の電源がイグニションスイッチ５２を通じて点火系統５３へ供給される点火系統５３の電源供給回路を有する自動変速機車両の急発進防止装置において、前記イグニションスイッチ５３２点火系統５３の間に電磁スイッチ５４を配置し、この電磁スイッチ５４は電磁スイッチ５４の作動回路中に設けられ、アクセルペダル１の２段目の踏み込みにより作動するスイッチ５６によって作動すべく構成してある。
【００３２】
上記構成であるので、アクセルペダル１を突発的に踏み込み、アクセルペダル１が通常の操作領域外に位置した時作動する電磁スイッチ５４を配設し、該電磁スイッチ５４の作動により点火系統５３への電力供給を断ってエンジンを停止させることができる。
【００３３】
なお、スイッチ５６は、アクセルペダル１が通常の操作範囲外に変位した時に作動すべく、アクセルペダル１の下方の床に取り付けられている。
【００３４】《作動》
上記構成であるので、通常はアクセルペダル１をゆっくり踏みアクセル操作を行い通常の走行を行う。通常のアクセル操作の時はアクセルペダル１はスイッチ５７には当接しないようになっているが、アクセルペダル１をブレーキペダル１２と間違えて突発的に踏み込むと、アクセルペダル１は下方に設けられたスイッチ５７が作動して、電磁スイッチ５４がオフになり、点火系統５３への電流の供給が絶たれるので、エンジンは瞬時に不作動状態となり追突事故を確実に防止できる。
【００３５】《ブレーキペダル連動》
なお、本発明は、上記実施例１、２の構成に加えて、ブレーキペダルに一体の連結杆を設け、アクセルペダルの１段目の踏み込み時には干渉することなく、２段目の踏み込み時には連動して、ブレーキを作動させるようにする。この場合、ブレーキの反力が底打ちを与えるようにすることも可能である。
【００３６】
【実施例３】
図４は本発明のさらに他の実施例であり、この実施例はアクセルペダルの２段目の踏み込みによって、油圧ブレーキを作動させることにより、エンジンを停止させてオートマチック車の急発進を防止するものである。
【００３７】《構成》
ブレーキペダル６０のブレーキマスタシリンダ６１とホイールシリンダ６２を結ぶ油圧回路にダブルチェックバルブ６７を介在させ、別にアクセルペダル６５にアクセル用ブレーキマスタシリンダ６６を設け、該アクセル用ブレーキマスタシリンダ６６の油圧回路を前記ダブルチェックバルブ６７と接続し、該油圧回路にダブルチェックバルブ６７とリザーバータンク６４への流路を開閉可能とした電磁バルブ６８を備え、該電磁バルブ７０の駆動回路７３中に設けたスイッチ７５をアクセルペダルの２段目の踏み込みによって接続状態にし、電磁バルブ７０を切換えるものである。
【００３８】
また、アクセルペダル６５にアクセル用ブレーキマスタシリンダ６６を設け、該アクセル用ブレーキマスタシリンダ６６の油圧回路を電磁バルブ７０を介してダブルチェックえバルブ６７と接続する。ブレーキマスタシリンダにはオイルタンクを備え、リザーバータンク６４とオイルパイプで連絡し、さらにリザーバータンク６４と電磁バルブ７０の流路をオイルパイプで連絡する。
【００３９】
上記電磁バルブ７０は、下部のコイル部７１と上部の本体７２内に吸着体と連設したバルブ体７３をコイル部７１の励磁又は非励磁により昇降する構造となし、本体７２には流路の入口７２ａ、出口７２ｂを対向位置に穿設し、流路の入口７２ｃ、出口７２ｄを上下位置に穿設し、中央部に連通溝７３ａを有するバルブ体７３の下降位置で入口７２ａと出口７２ｂを連通溝で連通してアクセル用ブレーキの油圧回路を通じさせ、このときリザーバータンク６４への出入口７２ｃ、７２ｄは閉じるように設け、又バルブ体７３の上昇位置で逆にリザーバータンク６４への出入口７２ｃ、７２ｄを開き、バルブ本体７２の対向位置に設けた出入口７２ａ、７２ｂを閉止してホイールシリンダ６２への油圧回路を閉じさせるように設ける。
【００４０】
上記ダブルチェックバルブ６７は、弁室６８の両側に入口６８ａ、６８ｂを設け、かつ弁室６８の両側と中央の出口６８ｅを二股の通路６８ｃ、６８ｄで結び、弁室６８にピストン６９を摺動自由に備えたもので、その入口６８ａ、６８ｂにブレーキの油圧回路とアクセル用ブレーキの油圧回路を接続し、かつ出口にホイールシリンダ６２への油圧回路を接続して圧力をかけられた流体がその入口６８ａよりダブルチェックバルブ６７内に流入したとき、流体の圧力でピストン６９を反対側へ押して１方の入口６８ａと通路を開き、他方の入口６８ｂと通路を閉じて流体の出口６８えへの流路を切換えるようにしてある。
【００４１】
したがって、ブレーキペダル６０を踏みブレーキマスタシリンダ６１のピストンで油圧回路が加圧されるとピストン６９を反対側へ押して入口６８ａと通路を開とし他方の入口６８ｂと通路を閉として油圧回路を連通し、ブレーキをかける。また、アクセルペダル６５を踏みアクセル用ブレーキマスタシリンダ６６のピストンで油圧回路が加圧されると逆にピストンを反対側へ押して入口６８ｂと通路を開き、入口６８ａと通路を閉じて油圧回路を連通してブレーキをかけることができる。
【００４２】《作動》
本実施例は上記構成であるので、アクセルペダル６５の１段目の踏み込み時には電磁バルブ７０は、アクセル用ブレーキシリンダー６６とリザーバタンク６４を連通する位置（図示の状態）にあるので、アクセル用ブレーキマスターシリンダ６６中の圧油はリザーバータンク６４へ流れるので、アクセルペダルを踏んでもブレーキがかからない。
【００４３】
しかし、運転手があわててアクセルペダル６５を強く踏んだ場合（２段目の踏み込み）には、スイッチ７４が閉じられ電流が流れ電磁バルブ７０が切り替えられ、電磁バルブ７０は、アクセル用ブレーキシリンダー６６とダブルチェックバルブ６７を介してホイールシリンダ６２を連通する位置に移動するので、アクセル用ブレーキマスターシリンダ６６中の圧油はダブルチェックバルブ６７を介してホイールシリンダ６２へ流れ、ブレーキがかかり、急発進を防ぐことができる。
【００４４】《速度感応式ストッピング》
上記実施例２、３においても、速度感応式ストッピングを設け、車速に応動して作動させて定常の走行時の２段目の踏み込みを阻止するようにすることが好ましい。
【００４５】
なお、上記実施例では、アクセルペダルの２段目の踏み込みにより作動するスイッチを、アクセルペダルの下方に設けた例を説明したが、スイッチを設ける箇所は、アクセルペダルの２段目の踏み込みに連動すれば、上記箇所に限定されるものではない。
【００４６】
【発明の効果】
この発明によれば、オートマチック車は運転者が駐車場内等で停車状態でセレクトレバーをＲレンジ、Ｄレンジ等に入れた状態で前進と後進が逆であった時、或いは横断歩道等の直前で停車しＤレンジで発進しかけに人等が飛び出した時等、あわててアクセルペダルを踏み込んでしまっても、エンジンの出力を断つか減少させか、または、アクセルペダルの踏み込みでブレーキをかけることができ、したがって車が急発進して暴走することがなく、駐車場等の壁面へ衝突、高層の駐車場の壁面、ガードレールを突き破て落下すること、横断歩道等における車の急発進による人身事故等を防ぐことができる。
【００４７】
一定速度以上での走行時には２段目の踏み込みを阻止するようにしているので、路上走行時に突然急発進防止装置が働くことがなく安全走行が行える。
【図面の簡単な説明】
【図１】アクセルペダル部の概略図である。
【図２】スロットバルブの閉鎖による急発進防止装置の概略図である。
【図３】点火系統の切断による急発進防止装置の概略図である。
【図４】油圧ブレーキ系統の切換による急発進防止装置の概略図である。
【符号の説明】
１　アクセルペダル
９　ボーデンワイヤー
１２　ブレーキペダル
２１　スロットバルブ軸
２２　カム
２５　第１のスプリング
２８　第２のスプリング
５０　バッテリー
５１　ヒューズ
５２　イグニッションスイッチ
５３　点火系統
５４　電磁スイッチ
５５　電源回路
５６　スイッチ
６０　ブレーキペダル
６１　ブレーキ用ブレーキマスターシリンダ
６２　ホイールシリンダ
６３　ブレーキ
６４　リザーバータンク
６５　アクセルペダル
６６　アクセル用ブレーキマスターシリンダ
６７　ダブルチェックバルブ
７０　電磁バルブ
７５　スイッチ
【図１】
2004084624.tif 000003
【図２】
2004084624.tif 000004
【図３】
2004084624.tif 000005
【図４】
2004084624.tif 000006